(57)【要約】      （修正有）【課題】綴じ込み用紙の追加および差し替えが可能で、綴じ込み用紙を水平に見開くことができ、変形や破損にも強い簡易上製本を提供する。【解決手段】簡易上製本１０は、コ字形の枠部材７からなる背部２に表表紙１ａと裏表紙１ｂが取り付けられた表紙本体１と、前記表表紙と裏表紙の各内側に、一側に設けられた複数の綴じ穴６が前記枠部材の開口部で互いに向かい合わせとなるように貼り付けられる台紙４と、前記表紙本体より小さな形状で、一側に複数の綴じ穴が設けられた綴じ込み用紙５と、前記枠部材の内部に収納され、前記台紙と前記綴じ込み用紙の綴じ穴に通されるスパイラルリング３と、を備える。【選択図】図１
0003141214.tif 000002
【実用新案登録請求の範囲】
【請求項１】
コ字形の枠部材からなる背部に表表紙と裏表紙が取り付けられた表紙本体と、
一側に設けられた複数の綴じ穴が前記枠部材の開口部で互いに向かい合わせとなるように、前記表表紙と裏表紙の各内側に貼り付けられる台紙と、
前記表紙本体より小さな形状で、一側に複数の綴じ穴が設けられた綴じ込み用紙と、
前記枠部材の内部に収納され、前記台紙と前記綴じ込み用紙の綴じ穴に通されるスパイラルリングと、を備えることを特徴とする簡易上製本。
【請求項２】
前記表紙本体には、表紙となる厚紙と前記枠部材との間が離されフィィルムで覆われることにより折り曲げ部が形成されていることを特徴とする請求項１に記載の簡易上製本。
【請求項３】
前記台紙は、両端または一端の綴じ穴の個所に、切り欠きが設けられることを特徴とする請求項１に記載の簡易上製本。
【考案の詳細な説明】
【技術分野】
【０００１】
本考案は簡易上製本に係り、より詳細には、綴じ込み用紙の追加および差し替え可能で、綴じ込み用紙を水平に見開くことができ、変形や破損にも強い簡易上製本に関する。
【背景技術】
【０００２】
特許文献１にはスパイラルリングを使用したノートが、特許文献２にはスパイラルリングを使用したアルバムが示されている。スパイラルリングは樹脂コーティングした金属製のものやＰＥＴなどの樹脂製のものがある。このようなスパイラルリングを使用したノートやアルバムは、綴じ込み用紙を重ねて一側端の綴じ穴にスパイラルリングを通すだけでありスパイラルリングが露出している。そのため、スパイラルリングは、外からの力による変形や破損が起きやすく、高級感も得られないとの欠点がある。
【０００３】
特許文献３には、綴じ込み用紙の背部にホットメルト接着剤を使用した簡易上製本が示されている。図６に示す簡易上製本１０は、綴じ込み用紙５の背部にホットメルト接着剤１３を塗布し、表紙本体１の背部２の内側に接着させるものである。このような簡易上製本は、ホットメルト接着剤１３を熱して溶かすことで、綴じ込み用紙の追加や差し替えが可能であるが、ページめくり時に綴じ込み用紙が水平になりにくいとの欠点がある。
【０００４】
なお、書籍において、並製本は比較的廉価な雑誌などに見られ、本文と表紙を同じサイズに仕上げるもので、上製本は高価な児童書などに見られ、本文と表紙を別に製作し表紙を本文より少し大きな形状に仕上げる。簡易上製本は、手造りで上製本が製作でき、小冊子、アルバム、ガイドブック、レストランのメニューなどに適す。アルバムやメニューでは、追加や差し替えが容易で、ページめくりした時、綴じ込み用紙が水平となるように開けられることが望ましい。
【特許文献１】特開２０００−１４１９７３号公報
【特許文献２】登録実用新案第３０７７６３６号公報
【特許文献３】実開平０６−４６９５９号公報
【考案の開示】
【考案が解決しようとする課題】
【０００５】
本考案の目的は、綴じ込み用紙の追加および差し替えが可能で、本体となる綴じ込み用紙を水平に見開くことができ、変形や破損にも強い簡易上製本を提供することにある。
【課題を解決するための手段】
【０００６】
上記の目的を達成するため、本考案による請求項１に記載の簡易上製本は、コ字形の枠部材からなる背部に表表紙と裏表紙が取り付けられた表紙本体と、一側に設けられた複数の綴じ穴が前記枠部材の開口部で互いに向かい合わせとなるように、前記表表紙と裏表紙の各内側に貼り付けられる台紙と、前記表紙本体より小さな形状で、一側に複数の綴じ穴が設けられた綴じ込み用紙と、前記枠部材の内部に収納され、前記台紙と前記綴じ込み用紙の綴じ穴に通されるスパイラルリングと、を備えることを特徴とする。
【０００７】
本考案による請求項２は、前記表紙本体には、表紙となる厚紙と前記枠部材との間が離されフィィルムで覆われることにより折り曲げ部が形成されていることを特徴とする。
【０００８】
本考案による請求項３は、前記台紙の両端または一端の綴じ穴の個所に、切り欠きが設けられることを特徴とする。
【考案の効果】
【０００９】
本考案による請求項１に記載の簡易上製本によれば、スパイラルリングを使用したので、綴じ込み用紙が厚手のものであっても水平に見開くことができる。綴じ込み用紙の追加および差し替えも容易である。加えて、スパイラルリングを枠部材で囲ったので、スパイラルリングの変形や破損がない。枠部材を表表紙と裏表紙の間の背部に組み込んだので、上製本として堅固なものにできる。このような上製本は、高級感が要求されるレストランのメニューや、結婚式の記念アルバムなどに好適である。
【００１０】
請求項２の考案によれば、表紙本体の背部の両側長手方向に沿って折り曲げ部が設けられるので、表表紙と裏表紙が厚地のものであっても、容易に水平な見開きとすることができる。
【００１１】
請求項３の考案によれば、台紙の一端もしくは両端の綴じ穴の個所を、切り欠きとしたので、スパイラルリングの端部に設けられたフックをひっかけることができる。そのため、綴じ込み用紙を開いたり閉じたりしても、スパイラルリングが抜け出ない。
【考案を実施するための最良の形態】
【００１２】
以下、図面を参照して、本考案による簡易上製本を説明する。
【実施例】
【００１３】
図１は、本考案による簡易上製本の斜視図である。簡易上製本１０は、断面が略コ字形の長尺な枠部材７で形成された背部２を有し、表表紙１ａと裏表紙１ｂからなる厚地の表紙本体１と、表表紙１ａと裏表紙１ｂの各裏側に貼り付けられる台紙４と、表紙本体１の形状より小さなサイズで、一側に設けられた複数の綴じ穴６を有する本体の綴じ込み用紙５と、枠部材７の内部に収納され、台紙４と綴じ込み用紙５の綴じ穴６に通されるスパイラルリング３と、を備えてなる。なお、表表紙１ａと裏表紙１ｂは、左右逆に設定してもよい。スパイラルリング３は、上から手を押しあてて回すことで、図１に示すように、外したり挿入したりできる。スパイラルリング３の一端は、曲げられフック３ａが形成されている。一例として、スパイラルリング３の太さ（直径）は約１ｍｍ、スパイラル直径は７〜２５ｍｍ、綴じ穴６は角穴で３×３ｍｍ、綴じ穴６のピッチは５ｍｍないし６ｍｍとすることができる。スパイラルリング３は樹脂製としてもよい。
【００１４】
図２は、図１の簡易上製本からスパイラルリングと綴じ込み用紙を外した斜視図である。スパイラルリング３を回して外すと、綴じ込み用紙５も取り出せる。図２に示すように表紙本体１の裏側には、表表紙１ａと裏表紙１ｂに対応して、綴じ穴６を有する台紙４が貼り付けられている。台紙４の一側に設けられた複数の角形の綴じ穴６は、枠部材７の開口部の上部で、互いに向かい合わせとなるように配置される。なお、図２の左側の台紙４の下端と右側の台紙４の上端の綴じ穴の個所に切り欠き６ａを設けた。これによりスパイラルリング３を取り付けた場合、スパイラルリング３のフック３ａを切り欠き６ａに掛け止めることにより、スパイラルリング３が抜け出ないようにできる。台紙の両端に切り欠き６ａを設けたので、どちらの側からでもスパイラルリング３が挿入可能である。台紙４の一端にのみ切り欠き６ａを設けてもよい。
【００１５】
図３は、図１の表紙本体の内部構成図である。表紙本体１は、表表紙１ａと裏表紙１ｂの内部を構成する厚紙８と、枠部材７をフィルム９で覆ったものである。厚紙８と枠部材７とは離してフィルム９で覆ったので、枠部材７のある背部２の両側には、柔軟性のある折り曲げ部１２が形成される。これにより表紙の見開きを容易としている。枠部材７は、スパイラルリングを保護する役目もあるため、金属もしくは硬質の樹脂製とすることが望ましい。
【００１６】
図４は、図１の簡易上製本を閉じた場合の部分拡大図である。簡易上製本１０が閉じられて横置きにされると、スパイラルリング３は枠部材７の内部に収納される形となる。２枚の台紙４は、接着剤１１で表表紙１ａと裏表紙１ｂに接着されている。スパイラルリング３は、枠部材７の内部に収納される形となるので、上下左右および前後のいずれの外側方向からの力がかかっても保護されるものとなる。かばんで持ち歩くことも可能である。書籍の最下段に積まれても、変形や破損が生じない。
【００１７】
図５は、図１の簡易上製本を開いた場合の部分拡大図である。簡易上製本１０が開かれると、スパイラルリング３は枠部材７の開口部から、約半分程度上方に引き出された形となる。各綴じ込み用紙５は、ページめくりした際、水平に見開くことができる。この状態で、スパイラルリング３が上から押圧されても、枠部材７の底部に接触しない。すなわち両側の台紙４ならびに本体の綴じ込み用紙５が片持ち梁のように作用し、弾力をもってスパイラルリング３を支持しているので、押しつぶされて変形することがない。
【産業上の利用可能性】
【００１８】
本考案の簡易上製本は、アルバム、レストランのメニューなど高級感が求められる小冊子に好適である。
【図面の簡単な説明】
【００１９】
【図１】本考案による簡易上製本の斜視図である。（実施例１）
【図２】図１の簡易上製本からスパイラルリングと綴じ込み用紙を外した斜視図である。（実施例１）
【図３】図１の表紙本体の内部構成図である。（実施例１）
【図４】図１の簡易上製本を閉じた場合の部分拡大図である。（実施例１）
【図５】図１の簡易上製本を開いた場合の部分拡大図である。（実施例１）
【図６】従来の簡易上製本の例を示す図である。
【符号の説明】
【００２０】
１    表紙本体
１ａ    表表紙
１ｂ    裏表紙
２    背部
３    スパイラルリング
３ａ    フック
４    台紙
５    綴じ込み用紙
６    綴じ穴
６ａ    切り欠き
７    枠部材
８    厚紙
９    フィルム
１０    簡易上製本
１１    接着剤
１２    折り曲げ部
１３    ホットメルト接着剤
【図１】
0003141214.tif 000003
【図２】
0003141214.tif 000004
【図３】
0003141214.tif 000005
【図４】
0003141214.tif 000006
【図５】
0003141214.tif 000007
【図６】
0003141214.tif 000008